【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
内部に低温流体が流れるダクト（７）と、
夫々の内部に熱発電素子が設けられ、前記ダクトの相対向する外表面に前記ダクトを挟むように夫々接触する第１発電モジュール（１）及び第２発電モジュール（２）と、
前記第１発電モジュール（１）と前記第２発電モジュール（２）との反ダクト側である外表面に夫々接触された第１外板（３）及び第２外板（４）と、
前記第１外板及び前記第２外板の夫々の反発電モジュール側である外表面に夫々設けられ高温流体に接触する外側フィン（５、６）と、を備え、
前記第１外板及び前記第２外板は、前記低温流体が流れる方向と直交する方向の前記第１外板及び前記第２外板の両端に互いに接近するように弾性変形した状態で溶接される折曲部（３ａ、４ａ）を有し、
前記外側フィンは、複数の波部を有して構成され、
複数の前記波部の重なり方向は、前記第１外板及び前記第２外板の両端に設けられた前記折曲部と前記折曲部とを結ぶ方向と平行であり、
前記折曲部の溶接により前記第１発電モジュール（１）と前記第２発電モジュール（２）とを前記ダクトに押し付ける応力を発生していることを特徴とする熱電発電装置。
【請求項２】
前記第１外板及び前記第２外板は、夫々の前記第１発電モジュール（１）と前記第２発電モジュール（２）との端部（３ｔ）にて又は前記端部の外側にて曲げられて弾性変形していることを特徴とする請求項１に記載の熱電発電装置。
【請求項３】
前記折曲部の溶接は、前記低温流体が流れる方向に沿って溶接されたシーム溶接又はレーザー溶接であることを特徴とする請求項１又は２に記載の熱電発電装置。
【請求項４】
前記折曲部の溶接により前記第１外板と前記第２外板とによって挟まれた内部空間（３０）を形成し、この内部空間の中に前記第１発電モジュール（１）と前記第２発電モジュール（２）とが収納されることを特徴とする請求項１ないし３のいずれか一項に記載の熱電発電装置。
【請求項５】
前記外側フィンには、前記第１外板及び前記第２外板の夫々とは反対側に、板状の剛性強化部材（８、９）が接合されていることを特徴とする請求項１ないし４のいずれか一項に記載の熱電発電装置。
【請求項６】
前記外側フィンと前記外側フィンとの間に、前記高温流体の流れる方向と平行に延在する棒状の剛性強化部材（１０、１１）を備え、
前記棒状の剛性強化部材は、前記外側フィンと前記第１外板又は前記第２外板に接合されていることを特徴とする請求項１ないし４のいずれか一項に記載の熱電発電装置。
【請求項７】
前記第１外板と前記第１発電モジュール（１）との間に及び前記第２外板と前記第２発電モジュール（２）との間に、夫々挟まれて前記高温流体の流れる方向と平行に延在する複数本の内側剛性強化部材（１０ｒ、１１ｒ）を更に備え、
前記内側剛性強化部材（１０ｒ、１１ｒ）は、前記第１外板又は前記第２外板に接合されて設けられていることを特徴とする請求項１ないし４のいずれか一項に記載の熱電発電装置。
【請求項８】
内部に低温流体が流れるダクト（７）と、
夫々の内部に熱発電素子が設けられ、前記ダクトの相対向する外表面に前記ダクトを挟むように夫々接触する第１発電モジュール（１）及び第２発電モジュール（２）と、
前記第１発電モジュール（１）と前記第２発電モジュール（２）との反ダクト側である外表面に夫々接触された第１外板（３）及び第２外板（４）と、
前記第１外板及び前記第２外板の夫々の反発電モジュール側である外表面に夫々設けられ高温流体に接触する外側フィン（５、６）と、を備え、
前記第１外板及び前記第２外板は、前記低温流体が流れる方向と直交する方向の前記第１外板及び前記第２外板の両端に互いに接近するように弾性変形した状態で溶接される折曲部（３ａ、４ａ）を有し、
この折曲部の溶接により前記第１発電モジュール（１）と前記第２発電モジュール（２）とを前記ダクトに押し付ける応力を発生しており、
前記第１外板と前記第１発電モジュール（１）との間に及び前記第２外板と前記第２発電モジュール（２）との間に、夫々挟まれて前記高温流体の流れる方向と平行に延在する複数本の内側剛性強化部材（１０ｒ、１１ｒ）を更に備え、
前記内側剛性強化部材（１０ｒ、１１ｒ）は、前記第１外板又は前記第２外板に接合されて設けられていることを特徴とする熱電発電装置。
【請求項９】
前記第１発電モジュール（１）と前記第２発電モジュール（２）とは、前記内側剛性強化部材の少なくとも一部を収納するための収納溝（１２）を有することを特徴とする請求項８に記載の熱電発電装置。
【請求項１０】
前記第１発電モジュール（１）及び前記第２発電モジュール（２）のそれぞれは、間隔（１３）をあけて設けられる複数の発電モジュールによって構成され、
前記内側剛性強化部材の少なくとも一部は、前記間隔に収容されていることを特徴とする請求項８に記載の熱電発電装置。
【請求項１１】
前記第１外板及び前記第２外板は、前記外側フィンとは反対側である前記ダクト側の表面に補強部（３ｃ、４ｃ；１０３ｃ、１０４ｃ；２０３ｃ、２０４ｃ；３０３ｃ、３０４ｃ）を有し、
前記補強部は、前記外側フィンの端部と重なる部分を少なくとも有することを特徴とする請求項１ないし１０のいずれか一項に記載の熱電発電装置。
【請求項１２】
内部に低温流体が流れるダクト（７）と、
夫々の内部に熱発電素子が設けられ、前記ダクトの相対向する外表面に前記ダクトを挟むように夫々接触する第１発電モジュール（１）及び第２発電モジュール（２）と、
前記第１発電モジュール（１）と前記第２発電モジュール（２）との反ダクト側である外表面に夫々接触された第１外板（３）及び第２外板（４）と、
前記第１外板及び前記第２外板の夫々の反発電モジュール側である外表面に夫々設けられ高温流体に接触する外側フィン（５、６）と、を備え、
前記第１外板及び前記第２外板は、前記低温流体が流れる方向と直交する方向の前記第１外板及び前記第２外板の両端に互いに接近するように弾性変形した状態で溶接される折曲部（３ａ、４ａ）を有し、
この折曲部の溶接により前記第１発電モジュール（１）と前記第２発電モジュール（２）とを前記ダクトに押し付ける応力を発生しており、
前記第１外板及び前記第２外板は、前記外側フィンとは反対側である前記ダクト側の表面に補強部（３ｃ、４ｃ；１０３ｃ、１０４ｃ；２０３ｃ、２０４ｃ；３０３ｃ、３０４ｃ）を有し、
前記補強部は、前記外側フィンの端部と重なる部分を少なくとも有することを特徴とする熱電発電装置。
【請求項１３】
内部に低温流体が流れるダクト（７）と、
夫々の内部に熱発電素子が設けられ、前記ダクトの相対向する外表面に前記ダクトを挟むように夫々接触する第１発電モジュール（１）及び第２発電モジュール（２）と、
前記第１発電モジュール（１）と前記第２発電モジュール（２）との反ダクト側である外表面に夫々接触する第１外板（３）及び第２外板（４）と、
前記第１外板及び前記第２外板の夫々の反発電モジュール側である外表面に夫々設けられて高温流体に接触する外側フィン（５、６）と、を備え、
前記第１外板及び前記第２外板は、前記低温流体が流れる方向と直交する方向の前記第１外板及び前記第２外板の両端に、前記第１外板及び前記第２外板の少なくとも一方が他方に対して接近するように弾性変形した状態で溶接される折曲部（３ａ、４ａ）を有し、
この折曲部の溶接により前記第１発電モジュール（１）と前記第２発電モジュール（２）とを前記ダクトに押し付ける応力を発生しており、
前記第１外板及び前記第２外板は、前記外側フィンとは反対側である前記ダクト側の表面に補強部（３ｃ、４ｃ；１０３ｃ、１０４ｃ；２０３ｃ、２０４ｃ；３０３ｃ、３０４ｃ）を有し、
前記補強部は、前記外側フィンの端部と重なる部分を少なくとも有することを特徴とする熱電発電装置。
【請求項１４】
内部に低温流体が流れるダクト（７）と、
内部に熱発電素子が設けられ、前記ダクトの対向する外表面に接触する発電モジュール（１）と、
前記発電モジュール（１）の反ダクト側である外表面に接触する第１外板（３）と、
前記ダクトにおいて前記発電モジュール（１）側とは反対側の外表面に直接または間接的に接触する第２外板（４）と、
前記第１外板及び前記第２外板の夫々の反発電モジュール側である外表面に夫々設けられて高温流体に接触する外側フィン（５、６）と、を備え、
前記第１外板及び前記第２外板は、前記低温流体が流れる方向と直交する方向の前記第１外板及び前記第２外板の両端に、前記第１外板及び前記第２外板の少なくとも一方が他方に対して接近するように弾性変形した状態で溶接される折曲部（３ａ、４ａ）を有し、
この折曲部の溶接により前記発電モジュール（１）を前記ダクトに押し付ける応力を発生しており、
前記第１外板及び前記第２外板は、前記外側フィンとは反対側である前記ダクト側の表面に補強部（３ｃ、４ｃ；１０３ｃ、１０４ｃ；２０３ｃ、２０４ｃ；３０３ｃ、３０４ｃ）を有し、
前記補強部は、前記外側フィンの端部と重なる部分を少なくとも有することを特徴とする熱電発電装置。
【請求項１５】
前記補強部は、前記第１外板及び前記第２外板の夫々の前記ダクト側の表面を突出するように変形させた突出変形部（３ｃ、４ｃ）であることを特徴とする請求項１１ないし１４のいずれか一項に記載の熱電発電装置。
【請求項１６】
前記補強部は、前記第１外板及び前記第２外板の夫々の前記ダクト側の表面に一体に設けられたブロック状部材（１０３ｃ、１０４ｃ）であることを特徴とする請求項１１ないし１４のいずれか一項に記載の熱電発電装置。
【請求項１７】
前記補強部は、前記外側フィンよりに隣接して設けられて、前記外側フィンよりも剛性が低い剛性低下部（２０３ｃ、２０４ｃ；３０３ｃ、３０４ｃ）であることを特徴とする請求項１１ないし１４のいずれか一項に記載の熱電発電装置。
【請求項１８】
前記突出変形部（３ｃ、４ｃ）は、前記外側フィンの端部と重なる部分から前記折曲部にわたって設けられていることを特徴とする請求項１５に記載の熱電発電装置。
【請求項１９】
前記ブロック状部材（１０３ｃ、１０４ｃ）は、前記外側フィンの端部と重なる部分から前記折曲部にわたって設けられていることを特徴とする請求項１６に記載の熱電発電装置。
【請求項２０】
前記突出変形部（３ｃ、４ｃ）は、前記第１外板（３）及び前記第２外板（４）の夫々と前記外側フィンとの接合部を避けた位置に設けられていることを特徴とする請求項１５に記載の熱電発電装置。
【手続補正２】
【補正対象書類名】明細書
【補正対象項目名】発明の名称
【補正方法】変更
【補正の内容】
【発明の名称】熱電発電装置
【手続補正３】
【補正対象書類名】明細書
【補正対象項目名】０００１
【補正方法】変更
【補正の内容】
【０００１】
この明細書における開示は、高温流体と低温流体とを用いて熱電発電を行う熱電発電装置に関する。特に、車両の排気を利用した熱電発電装置に関する。
【手続補正４】
【補正対象書類名】明細書
【補正対象項目名】０００６
【補正方法】変更
【補正の内容】
【０００６】
このような課題に鑑み、この明細書における開示の目的は、発電性能の低下を抑制する熱電発電装置を提供することである。従来技術として列挙された特許文献の記載内容は、この明細書に記載された技術的要素の説明として、参照によって導入ないし援用することができる。
【手続補正５】
【補正対象書類名】明細書
【補正対象項目名】０００８
【補正方法】変更
【補正の内容】
【０００８】
開示された熱電発電装置のひとつは、内部に低温流体が流れるダクト（７）と、夫々の内部に熱発電素子が設けられ、ダクトの相対向する外表面にダクトを挟むように夫々接触する第１発電モジュール（１）及び第２発電モジュール（２）と、第１発電モジュール（１）と第２発電モジュール（２）との反ダクト側である外表面に夫々接触された第１外板（３）及び第２外板（４）と、第１外板及び第２外板の夫々の反発電モジュール側である外表面に夫々設けられて高温流体に接触する外側フィン（５、６）とを備え、第１外板及び第２外板は、低温流体が流れる方向と直交する方向の第１外板及び第２外板の両端に互いに接近するように弾性変形した状態で溶接される折曲部（３ａ、４ａ）を有し、外側フィンは、複数の波部を有して構成され、複数の波部の重なり方向は、第１外板及び第２外板の両端に設けられた折曲部と折曲部とを結ぶ方向と平行であり、この折曲部の溶接により第１発電モジュール（１）と、第２発電モジュール（２）とをダクトに押し付ける応力を発生していることを特徴としている。
【手続補正６】
【補正対象書類名】明細書
【補正対象項目名】０００９
【補正方法】変更
【補正の内容】
【０００９】
これによれば、外板は、第１流体が流れる方向と直交する方向の両端に互いに接近して溶接される折曲部を有し、この折曲部の溶接により発電モジュールをダクトに押し付ける応力を発生している。したがって、発電モジュールと第１外板と第２外板とダクトとの密着性が向上して発電性能が向上する。また、密着性を確保し維持するためにボルト等の締結部材が不要であるから、熱交換性能に寄与しない部材による熱容量の増加を抑制できる。したがって、発電装置の作動初期における有効な熱の移動量の低下及び発電量の低下が発生せず、十分な性能が得られる熱電発電装置を提供できる。
開示された熱電発電装置のひとつは、内部に低温流体が流れるダクト（７）と、夫々の内部に熱発電素子が設けられ、ダクトの相対向する外表面にダクトを挟むように夫々接触する第１発電モジュール（１）及び第２発電モジュール（２）と、第１発電モジュール（１）と第２発電モジュール（２）との反ダクト側である外表面に夫々接触された第１外板（３）及び第２外板（４）と、第１外板及び第２外板の夫々の反発電モジュール側である外表面に夫々設けられ高温流体に接触する外側フィン（５、６）と、を備え、第１外板及び第２外板は、低温流体が流れる方向と直交する方向の第１外板及び第２外板の両端に互いに接近するように弾性変形した状態で溶接される折曲部（３ａ、４ａ）を有し、この折曲部の溶接により第１発電モジュール（１）と第２発電モジュール（２）とをダクトに押し付ける応力を発生しており、第１外板と第１発電モジュール（１）との間に及び第２外板と第２発電モジュール（２）との間に、夫々挟まれて高温流体の流れる方向と平行に延在する複数本の内側剛性強化部材（１０ｒ、１１ｒ）を更に備え、内側剛性強化部材（１０ｒ、１１ｒ）は、第１外板又は第２外板に接合されて設けられていることを特徴としている。
開示された熱電発電装置のひとつは、内部に低温流体が流れるダクト（７）と、夫々の内部に熱発電素子が設けられ、ダクトの相対向する外表面にダクトを挟むように夫々接触する第１発電モジュール（１）及び第２発電モジュール（２）と、第１発電モジュール（１）と第２発電モジュール（２）との反ダクト側である外表面に夫々接触された第１外板（３）及び第２外板（４）と、第１外板及び第２外板の夫々の反発電モジュール側である外表面に夫々設けられ高温流体に接触する外側フィン（５、６）と、を備え、第１外板及び第２外板は、低温流体が流れる方向と直交する方向の第１外板及び第２外板の両端に互いに接近するように弾性変形した状態で溶接される折曲部（３ａ、４ａ）を有し、この折曲部の溶接により第１発電モジュール（１）と第２発電モジュール（２）とをダクトに押し付ける応力を発生しており、第１外板及び第２外板は、外側フィンとは反対側であるダクト側の表面に補強部（３ｃ、４ｃ；１０３ｃ、１０４ｃ；２０３ｃ、２０４ｃ；３０３ｃ、３０４ｃ）を有し、補強部は、外側フィンの端部と重なる部分を少なくとも有することを特徴としている。
【手続補正７】
【補正対象書類名】明細書
【補正対象項目名】００１０
【補正方法】変更
【補正の内容】
【００１０】
開示された熱電発電装置のひとつは、内部に低温流体が流れるダクト（７）と、夫々の内部に熱発電素子が設けられ、ダクトの相対向する外表面にダクトを挟むように夫々接触する第１発電モジュール（１）及び第２発電モジュール（２）と、第１発電モジュール（１）と第２発電モジュール（２）との反ダクト側である外表面に夫々接触する第１外板（３）及び第２外板（４）と、第１外板及び第２外板の夫々の反発電モジュール側である外表面に夫々設けられて高温流体に接触する外側フィン（５、６）と、を備え、
第１外板及び第２外板は、低温流体が流れる方向と直交する方向の第１外板及び第２外板の両端に、第１外板及び第２外板の少なくとも一方が他方に対して接近するように弾性変形した状態で溶接される折曲部（３ａ、４ａ）を有し、
この折曲部の溶接により第１発電モジュール（１）と第２発電モジュール（２）とをダクトに押し付ける応力を発生しており、
第１外板及び第２外板は、外側フィンとは反対側であるダクト側の表面に補強部（３ｃ、４ｃ；１０３ｃ、１０４ｃ；２０３ｃ、２０４ｃ；３０３ｃ、３０４ｃ）を有し、補強部は、外側フィンの端部と重なる部分を少なくとも有することを特徴としている。
【手続補正８】
【補正対象書類名】明細書
【補正対象項目名】００１２
【補正方法】変更
【補正の内容】
【００１２】
開示された熱電発電装置のひとつは、内部に低温流体が流れるダクト（７）と、内部に熱発電素子が設けられ、ダクトの対向する外表面に接触する発電モジュール（１）と、発電モジュール（１）の反ダクト側である外表面に接触する第１外板（３）と、ダクトにおいて発電モジュール（１）側とは反対側の外表面に直接または間接的に接触する第２外板（４）と、第１外板及び第２外板の夫々の反発電モジュール側である外表面に夫々設けられて高温流体に接触する外側フィン（５、６）と、を備え、
第１外板及び第２外板は、低温流体が流れる方向と直交する方向の第１外板及び第２外板の両端に、第１外板及び第２外板の少なくとも一方が他方に対して接近するように弾性変形した状態で溶接される折曲部（３ａ、４ａ）を有し、
この折曲部の溶接により発電モジュール（１）をダクトに押し付ける応力を発生しており、
第１外板及び第２外板は、外側フィンとは反対側であるダクト側の表面に補強部（３ｃ、４ｃ；１０３ｃ、１０４ｃ；２０３ｃ、２０４ｃ；３０３ｃ、３０４ｃ）を有し、補強部は、外側フィンの端部と重なる部分を少なくとも有することを特徴としている。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】